(57)【要約】本発明は少なくとも１つの外部制御ユニットにより移動体通信端末装置を制御するための方法に関し、少なくとも１つの制御ユニットが制御情報を発生させ、移動体通信端末装置にエアーインタフェースを介しプロトコルを用いて伝送し、制御情報は移動体通信端末装置においてデコードユニットを用いてデコードされ、移動体通信端末装置に設けられたコールインタフェースのコールに変換され、それによって移動体通信端末装置における１つ又は複数の機能が作動せしめられる。
2005528028.tif 000002
【特許請求の範囲】
【請求項１】
少なくとも１つの外部制御ユニットにより移動体通信端末装置を制御するための方法において、
・少なくとも１つの制御ユニットが制御情報を発生させ、移動体通信端末装置にエアーインタフェースを介しプロトコルを用いて伝送し、
・制御情報は移動体通信端末装置においてデコードユニットを用いてデコードされ、
・移動体通信端末装置に設けられたコールインタフェースのコールに変換され、それによって移動体通信端末装置における１つ又は複数の機能が作動せしめられる
ことを特徴とする移動体通信端末装置の制御方法。
【請求項２】
制御ユニットとして、データテレグラムをSMS又はIPベースの通信プロトコル経由で送ることのできる装置が選ばれることを特徴とする請求項１記載の方法。
【請求項３】
制御情報を発生させるために、ショート・メッセージ・サービス（SMS）又はIPベースの通信プロトコルが使用されることを特徴とする請求項１又は２記載の方法。
【請求項４】
制御情報を伝送するためのプロトコルとして、Bluetooth、GSM、GPRS又はUMTSプロトコルが使用されることを特徴とする請求項１〜３のいずれか１つに記載の方法。
【請求項５】
移動体通信端末装置に実装されるコールインタフェースとして、SIMアプリケーション・ツールキット（SAT）が使用されることを特徴とする請求項１〜４のいずれか１つに記載の方法。
【請求項６】
機能として、移動体通信端末装置のディスプレイ上にテキスト及び機能メニュー又はそのいずれか一方の表示が行われることを特徴とする請求項１〜５のいずれか１つに記載の方法。
【請求項７】
機能として、利用者データの応答要求が行われることを特徴とする請求項１〜６のいずれか１つに記載の方法。
【請求項８】
機能として、SS（Supplementary Services）、USSD（Unstructured Supplementary Service Data）又はSMSの送出が行われることを特徴とする請求項１〜７のいずれか１つに記載の方法。
【請求項９】
機能として、コールの作成が行われることを特徴とする請求項１〜８のいずれか１つに記載の方法。
【請求項１０】
機能として、端末装置ローカル情報の応答要求が行われることを特徴とする請求項１〜９のいずれか１つに記載の方法。
【請求項１１】
機能として、移動体通信端末装置のSIMカードのデータへのアクセスが行われることを特徴とする請求項１〜１０のいずれか１つに記載の方法。
【請求項１２】
機能として、移動体通信端末装置上に音響及びDTMF（Dual Tone Multi Frequency）又はそのいずれか一方の再生が行われることを特徴とする請求項１〜１１のいずれか１つに記載の方法。
【請求項１３】
機能として、移動体通信端末装置上でATコマンドの作動が行われることを特徴とする請  求項１〜１２のいずれか１つに記載の方法。
【請求項１４】
機能として、移動体通信端末装置上に決定可能なインターネット・アドレスによるブラウザの起動が行われることを特徴とする請求項１〜１３のいずれか１つに記載の方法。
【請求項１５】
少なくとも以下の要素、
・制御情報を発生させるための制御ユニット
・移動体通信端末装置に制御情報を伝達するためのエアーインタフェース
・制御情報をデコードし、SIMアプリケーション・ツールキットのコールに変換するための移動体通信端末装置内のデコードユニット
・移動体通信端末装置に設けられたコールインタフェース
を備えた移動体通信端末装置を制御するための通信システム。
【発明の詳細な説明】
【技術分野】
【０００１】
本発明は、移動体通信端末装置の制御のための方法及び通信システムに関する。
【０００２】
移動体通信端末装置の機能性、例えば移動電話、モデム、無線モデム又はコードレスモジュールへのエアーインタフェースを介しての外部の、世界的規模のアクセスは、これまで外部制御ユニットや制御コンピュータには不可能である。このような機能性は場合によっては、ローカルな通信インタフェースを用いて移動体通信端末装置と結合し得るアプリケーション固有及びカスタマー固有のアプリケーションを介して、例えばATコマンド・インタフェースを用いて実現することができる。しかしながらこのインタフェースは、アプリケーション固有及びカスタマー固有のアプリケーションが準備されなければならないから、高い消費とそれに伴う高い出費と結び付いている。
【０００３】
従って本発明の課題は、移動体通信端末装置の全機能範囲を外部の制御ユニットないし制御するコンピュータができるだけ簡単かつ費用のかからないようにアクセスすることにある。
【０００４】
この課題は、請求項１に従う本発明による方法及び請求項１５に従う本発明による通信システムによって解決される。他の有利な実施形態は対応するその他の請求項に記載されている。
【０００５】
請求項１に従えば、少なくとも１つの外部制御ユニットにより移動体通信端末装置を制御するための方法が提起され、その方法においては、
・少なくとも１つの制御ユニットが制御情報を発生させ、エアーインタフェースを介しプロトコルを用いて移動体通信端末装置に伝送し、
・制御情報は移動体通信端末装置においてデコードユニットを用いてデコードされ、
・移動体通信端末装置に設けられたコールインタフェースのコールに変換され、それによって移動体通信端末装置における１つ又は複数の機能が作動せしめられる。
【０００６】
本発明方法の有利な実施形態においては、制御ユニットとして制御コンピュータ（以下DTEともいう）が選択される。しかし移動体通信端末装置への世界的規模のアクセスは、データテレグラムを、例えば移動電話（ハンディ）のようなSMS又はIPベースの通信プロトコルを経由して、又は例えばマイクロソフト・インターネット・エクスプローラのようなインターネットブラウザのような標準アプリケーションを使用したインターネットを経由して送ることのできるすべての制御ユニットによって行うことができる。
【０００７】
IPベースの通信プロトコルとしては、ここでは例えばSMTP（Simple Mail Transfer Protocol）、HTTP（Hypertext Transfer Protocol）やFTP（File Transfer Protocol）を使用することができる。例えばｅメール又はFTPテレグラムからなる情報をSMS（Short Message Service）上にコピーしたりマッピングしたりする可能性も存在する。後者は、インターネットにおいて、サービスプロバイダーにおいて、又は移動体通信端末装置そのものにおいてGPRS（General Pocket Radio Service）機能性経由で実行され得る。この場合、それぞれデータテレグラム、例えばｅメール・フォーマットに含まれるコマンド情報は新しいフォーマット、例えばSMSにコピーされる。
【０００８】
制御情報を伝送するためにShort Message Service（SMS）又はIPベースの通信プロトコルが有利に使用される。このように伝送されたデータテレグラムの内容は、明確にコード化されたキーワードとコールインタフェースの対応するコマンドに属するパラメータとからなっている。
【０００９】
SMSとしての制御情報の伝送のためのプロトコルとしてはGSM（Global System for Mobile Communications）プロトコルが有利に使用され、IPベースの通信プロトコルを用いた制御情報に対してはGPRS又はUMTS（Universal Mobile Telecommunications System）プロトコルが有利に使用される。データテレグラムの伝送に対しては用途固有の各プロトコル、例えばBluetoothプロトコルも使用することができる。
【００１０】
本発明方法の有利な実施形態においては、移動体通信端末装置に設けられたコールインタフェースとしてSIMアプリケーション・ツールキット（Application Toolkit）（SAT）が使用される。これはETSI（European Telecommunications Standards Institute）標準GSM11.14に従い取り決められたコールインタフェースである。SATインタフェースを使用して、従来既に、移動体通信端末装置の制御がSIMカード上で進行するアプリケーション（SA）を介して行われている。一般にSIMアプリケーション（SA）と並んで、例えば加入者識別符号のようなすべての加入者固有のデータは、チップカード、いわゆるSIMカード（Subscriber Identity Module）上に記憶されており、このカードにより各移動体通信端末装置は使用することができる。SIMカードは、その使用にあたって、補助の識別符号により悪用から保護されている。上述のコード化されたキーワード及び伝送されたデータテレグラムのパラメータはこの場合明確にSATコマンドが割り当てられる。
【００１１】
SATインタフェースを介して移動体通信端末装置上の制御ユニットないし制御コンピュータによりSMSを用いて作動され得る一連の機能が存在する。
【００１２】
本発明方法の有利な実施形態においては、機能として、移動体通信端末装置のディスプレイ上にテキストや機能メニューの表示が行われる。
【００１３】
本発明方法の他の有利な実施形態においては、機能として、利用者データの応答要求が行われる。
【００１４】
本発明方法の他の有利な実施形態においては、機能として、SS（Supplementary Services）、USSD（Unstructured Supplementary Service Data）やSMSの送出が行われる。
【００１５】
さらに、機能として、コールの作成、即ちいわゆるモバイル・オリジネイティング・コール（Mobile Originating Call）の作成が行われるのが有利である。
【００１６】
本発明方法の他の有利な実施形態においては、機能として移動体通信端末装置の現在地に関係する情報の応答要求が行われる。そのように、例えばいわゆるモバイル・カントリー・コード（MCC）、モバイル・ネットワーク・コード（MNC）、ロケーションエリア・コード（LAC）、一時的に使用されるセルのセル識別符号（セルID）及び移動体通信端末装置に対して一義的な装置番号IMEI（International Mobile Station Equipment Identity）の応答要求が可能である。制御ユニットないし制御コンピュータは、これらの情報をとりわけ位置に関係するサービス（Location Based Services）のために使用することができる。
【００１７】
さらに本発明によれば、移動体通信端末装置のSIMカードのデータへのアクセスが可能である。移動体通信端末装置上の音響及びDTMF（Dual Tone Multi Frequency）の再生が本発明によれば制御ユニットにより作動可能である。
【００１８】
本発明方法の他の有利な実施形態においては、移動体通信端末装置上でATコマンドの作動を行うことができる。
【００１９】
移動体通信端末装置上の決定可能なインターネット・アドレスによるブラウザの起動は、本発明方法の他の実施形態においても予定することができる。
【００２０】
SATインタフェースにより確かめられるデータは、再びSMSによって、又はIPベースの通信プロトコルによって、制御ユニットに返送されるのが有利である。例えばSMSによる、又はIPベースの通信プロトコルによるようなデータの変換の方式は、同じように移動体通信端末装置により受け取られたジョブないし制御情報においてキーワードについて定められ得るものである。それに代えて、返還情報、特に変換SMS又はレスポンスSMSが、SMSデータに含まれるSMS発信者アドレス（Originating Address）に発送されるようにすることができる。
【００２１】
さらに本発明は、少なくとも以下の要素を備える移動体通信端末装置を制御するための通信システムを含む。
・制御情報を発生するための制御ユニット
・移動体通信端末装置に制御情報を伝達するためのエアーインタフェース
・制御情報をデコードし、SIMアプリケーション・ツールキットのコールに変換するための移動体通信端末装置内のデコードユニット
・移動体通信端末装置に設けられたコールインタフェース
【００２２】
このシステムを用いて、特に本発明による方法及びすべてのその有利な実施形態を実行することができる。
【００２３】
本発明の重要な利点はとりわけ、標準化され既知の移動体通信端末装置に既に装備されたSATインタフェースが、移動体通信端末装置又はそれと結合されたアプリケーションの制御のためにSMS又はIPベースの通信プロトコルを介して使用できる点にある。
【００２４】
移動体通信端末装置と結合されたアプリケーションに対する例は次のとおりである。
・商品在庫を遠隔式に応答要求し得る自動販売機
・走行距離に関係する通行料金を検出し伝達する料金メーター、及び
・センタから応答要求され制御される電力供給事業の積算電力計及び電流開閉器
【００２５】
本発明の使用例として、ロケーション・ベースド・サービス（Location Based Services）を使用した運送業の車両のいわゆる自動「船団管理」が挙げられる。運送業の車両がそれぞれ、SMSを用いてSATコマンドを呼び出す可能性が存在する移動体通信端末装置を備える場合には、本発明によれば、車両の船団管理を自動化することができる。そのため運送センタはすべての対象となる車両、一般にトラックに、特定のSATコマンド、即ちいわゆる「ローカル情報を提供せよ（Provide Local Information）」を発し、すべての対象となる車両から、返送されるSMSを用いて実際の現在データを得る。現在地は、例えば、いわゆるモバイル・カントリー・コード（MCC）、モバイル・ネットワーク・コード（MNC）、ロケーション・エリア・コード（LAC）、一時的に使用されるセルのセルID及びいわゆるタイミング・アドバンス（Timing Advance）から導出することができる。この場合タイミング・アドバンスはベースステーションから移動体通信端末装置までの無線信号の所要時間を記述する。このデータを用いて、トラックのそれぞれの位置を求め、走行路を変化する交通状況又は依頼状況に合わせることができる。
【００２６】
本発明のその他の利点を、図に基づいて詳細に説明する。
【００２７】
図１において、制御ユニットDTEが設けられ、この制御ユニットは制御情報即ちデータテレグラムをSMSの形で、又はIPベースの通信プロトコルによって、GSMネット、GPRSネット又はUMTSネット経由で、エアーインタフェースＩＦを介して移動体通信端末装置MEに送る。移動体通信端末装置MEにおいては、デコードユニットDEを用いて制御情報がデコードされ、SAT（SIMアプリケーション・ツールキット）コールインタフェースSAT-IFを介してSATプロトコルスタック（ESTI標準GSM11.14に従うSIMアプリケーション・ツールキット）に導かれる。制御情報は１つ又は複数のSATコマンド及びそのパラメータからなる。次いでSATコールを介してMEの所望の機能の作動に至る。
【００２８】
根本的な経過を以下にさらに実施例に基づき説明する。
【００２９】
制御コンピュータDTEはSMS又はｅメールを移動体通信端末装置MEに送る。データテレグラムはテキスト行を含む。即ち、
＠＠＠SAT！＠＠＠
＠PROVIDE LOCAL INFO＠＠
＠RUN AT COMMAND,  “AT＋CREG＝０”＠
【００３０】
移動体通信端末装置MEは、各到来するデータテレグラムを、データテレグラムがSATデコードユニットDEに対し定められていることを示す明確なキーワード、ここでは例えば＠＠＠SAT！＠＠＠について調べる。
【００３１】
SATデコードユニットDEは、各他のテキスト行に対し、対応するSATコマンド及びそのパラメータ、この例ではSATコマンド「ローカル情報を提供せよ（Provide Local Information）」及び「ATコマンドを実行せよ（Run AT Command）」を解釈する。第２のSATコマンドに対しては、パラメータとして符号列“AT＋CREG＝０”が詳細に記されている。
【００３２】
SATデコードユニットDEはSATプロトコルスタックによってコマンドの実行をさせる。SATコマンドの返還情報はテキストに変えられ、データテレグラムとして制御コンピュータDTEに返送される。
【図面の簡単な説明】
【００３３】
【図１】本発明の実施例の構成図である。
【符号の説明】
【００３４】
DTE  制御ユニット
ME  移動体通信端末装置
DE  デコードユニット
SAT-IF  SATコールインタフェース
SA  SIM上のアプリケーション
SAT  アプリケーション・ツールキット
SIM  SIMカード
【図１】
2005528028.tif 000003
【国際調査報告】
2005528028.tif 000004
2005528028.tif 000005
2005528028.tif 000006
2005528028.tif 000007